(57)【特許請求の範囲】
【請求項１】
方立アングルによって受けアングルを梁等の構築躯体に支持させ、かつ前記梁等の構築躯体に通しアングルを固設し、前記方立アングルの上端面に目地鉄筋の下端を載置してその下端部を取付け金物を介して前記通しアングルに固定するとともに、該目地鉄筋を取付けようとする壁パネルの上部まで延設し、前記受けアングルに前記方立アングルを挟むようにしてそれぞれ相隣合う壁パネルの下端木口をそれぞれ載置し、該各壁パネルの下端部を前記受けアングルに取付け、前記各壁パネルの中間部を前記通しアングルに取付けるとともに、前記各壁パネル間にモルタルを充填して前記壁パネル間に前記目地鉄筋を埋設させたことを特徴とするベランダ壁取付け構造。
【発明の詳細な説明】
【０００１】
【発明の属する技術分野】
本発明は、ベランダ壁取付け構造に関するもので、詳しくは、軽量気泡コンクリートパネルを壁パネルとして使用したベランダ壁の取付け構造に関するものである。
【０００２】
【従来の技術】
軽量気泡コンクリートパネルを使用してベランダを構築する場合に、図７に示したように、構築躯体であるＨ形鋼の梁５０に受けアングル５１を支持させるとともに、該受けアングル５１に複数本の方立アングル５２を立設し、それらの方立アングル５２の上端間にアングル材５３を差し渡して固設し、該アングル材５３，上記受けアングル５１および方立アングル５２間に壁パネル５４を配置し、それらをフックボルト等の取付け金具５５によってアングル材５３，受けアングル５１等に取付けてベランダ壁を構築している。
【０００３】
【発明が解決しようとする課題】
このような従来のベランダ壁の構築方法では、ベランダ壁の上部を補強するために壁上端にアングル材５３を配設し、かつ該アングル材５３を支持するために方立アングル５２を上方へ延設している。したがって、アングル材５３，それを支持するための方立材５２等の部材が必要になり、それだけ材料費が嵩むばかりでなく、設置作業が煩雑になりコストが高くなり、しかもベランダ壁の上部の重量が増すという結果にもなっていた。
【０００４】
そこで、本発明の目的は、構造および取付け作業が簡単でコストの低減が図れ、強度を損なうことなく軽量化が図れるベランダ壁取付け構造を提供することにある。
【０００５】
【課題を解決するための手段】
本発明のベランダ壁取付け構造では、方立アングルによって受けアングルを梁等の構築躯体に支持させ、かつ前記梁等の構築躯体に通しアングルを固設し、前記方立アングルの上端面に目地鉄筋の下端を載置してその下端部を取付け金物を介して前記通しアングルに固定するとともに、該目地鉄筋を取付けようとする壁パネルの上部まで延設し、前記受けアングルに前記方立アングルを挟むようにしてそれぞれ相隣合う壁パネルの下端木口をそれぞれ載置し、該各壁パネルの下端部を前記受けアングルに取付け、前記各壁パネルの中間部を前記通しアングルに取付けるとともに、前記各壁パネル間にモルタルを充填して前記壁パネル間に前記目地鉄筋を埋設させている。
【０００６】
本発明のベランダ壁取付け構造によれば、受けアングルを方立アングルで梁等の構築躯体に支持させ、該方立アングルから目地鉄筋を立設させて壁パネル上部まで延設させることによって、ベランダ壁の強度を維持し、それによってベランダ壁の上端に配設されるアングル材を不要にするとともに、該アングル材を支持するための方立アングルの上方への配置を不要にし、併せてベランダの軽量化を図っている。
【０００７】
【発明の実施の形態】
図１は、本発明に係るベランダ壁取付け構造を示している。このベランダ壁取付け構造では、構築躯体としてＨ形鋼の梁１が使用されている。そして、梁１の上部フランジ１ａの上面に通しアングル２が溶接され、下面にピースアングル３が溶接され、また下部フランジ１ｂの下面にピースアングル４が溶接されている。さらに、上下のピースアングル３，４には、方立アングル５が溶接され、該方立アングル５の下端には、受けアングル６が溶接されている。この受けアングル６は、図２（ｂ）に示したように、方立アングル５の各片の下端を受けアングル６の各片に直接溶接してもよく、図２（ｃ）に示したように、方立アングル５の一片を他の片７を介して受けアングル６に溶接してもよい。
【０００８】
上記方立アングル５は、軽量気泡コンクリートパネルによって形成された壁パネル２０の２枚分の間隔をもって配置されている。そして、それらの方立アングル５の上端面には、図２（ａ）に示したように、目地鉄筋８の下端が溶接されている。また、上記２本の方立アングル５の中間に位置する受けアングル６には、図３に示したように、目地鉄筋９の下端が溶接されている。さらに、上記各目地鉄筋８，９の中間部は、通しアングル２に係合して溶接させたプレート（実施例ではＴ字状プレート）等の取付け金物１０に溶接されている。また、各目地鉄筋８，９の上端部には雄ねじ８ａ，９ａが形成されている。
【０００９】
さらに、このベランダ壁取付け構造では、各取付け金物１０の中間に位置する通しアングル２に、イナズマプレート１１が溶接され、それらのイナズマプレート１１の下方に位置する受けプレート６にもイナズマプレート１２が溶接されている。
【００１０】
そして、壁パネル２０は、図２（ａ），図３に示したように、長辺木口２０ａの溝２１が各目地鉄筋８，９を囲むように、かつその下端面２０ｂを受けプレート６に載置して配置され、図４に示したように、イナズマプレート１１，１２に形成した孔１１ａ，１２ａにボルト１３の先端を挿入し、さらに該先端を壁パネル２０の裏面２０ｃ側に形成した孔２２に挿入し、壁パネル２０に埋設した支持プレート２３に螺合することによってイナズマプレート１１，１２に締結して梁１に取付けられる。そして、このようにして設置された各壁パネル２０の溝２１にはモルタル２４が充填される。
【００１１】
このようにして、壁パネル２０が梁１に取付けられると、図５に示したように、床パネル２５が梁１上に載置して支持され、床パネル２５の木口２５ａと壁パネル２０との間にモルタル２６が充填され、さらに壁パネル２０，モルタル２６および床パネル２５にわたって防水シート２７が張設される。この防水シート２７の一端は水切プレート２８と共に釘２９等によって壁パネル２０の裏面２０ｃに固定され、さらに防水シート２７上にラス金網３０を張設した後にモルタル３１が塗装される。なお、釘２９の頭部が位置する壁パネル２０およびモルタル３１と水切プレート２８との間にはシーリング３２，３３が施される。
【００１２】
さらに、壁パネル２０の上端面２０ｄに笠木３４のインナープレート３５を被せ、該インナープレート３５の孔３５ａに目地鉄筋８，９の上端部を挿通させ、該上端部の雄ねじ８ａ，９ａにナット３６を螺合させてインナープレート３５を壁パネル２０の上端面２０ｄに締結させる。そして、このインナープレート３５にカバープレート３７を被せて装着し、インナープレート３５と壁パネル２０間にシーリング３８を施す。
【００１３】
図６は、壁パネル２０の上端面２０ｄに手摺付き笠木４０を取付ける例を示している。手摺付き笠木４０は、カバープレート３７の上方に手摺４１を有したもので、インナープレート３５と壁パネル２０の上端面との間に補強鋼板４２を介在させ、該補強鋼板４２に手摺４１を一体化している。なお、その他の構成は、上記笠木３４の取付け構造と同じであるので、同一符号を付して説明を省略する。
【００１４】
なお、上記実施の形態では、方立アングル５を壁パネル２０の２枚毎に配設し、該方立アングル５に目地鉄筋８を固設しているが、方立アングル５を壁パネル２０の１枚毎に配設したり３枚以上毎に配設し、それらの方立アングル５に目地鉄筋８を固設してもよい。
【００１５】
また、上記実施の形態では、壁パネル２０をイナズマプレート１１，１２によって通しアングル２，受けアングル６に取付けているが、イナズマプレート１１，１２に替えて他の取付け金具を使用してもよく、イナズマプレート１１，１２を使用せずに直接ボルト等によって通しアングル２，受けアングル６に取付けてもよい。さらに、上記実施の形態では、壁パネル２０に埋設した支持プレート２３に壁パネル２０の裏面側からボルト１３を挿嵌螺合させているが、ボルト１３を壁パネル２０の表面側から挿入させ、その先端を支持プレート２３に貫通させて裏面側に突出させ、そのボルト１３の先端を取付け金具，ナット等を介して通しアングル２，受けアングル６に取付けてもよい。
【００１６】
【発明の効果】
本発明のベランダ壁取付け構造によれば、受けアングルを方立アングルで梁等の構築躯体に支持させ、該方立アングルから目地鉄筋を立設させてパネル上部まで延設させているので、ベランダ壁の強度が確保される。したがって、それによってベランダ壁の上端に配設されるアングル材が不要になり、かつ該アングル材を支持するための方立アングルの上方への配置が不要になるので、コストが低減され、かつベランダの軽量化が図れる。
【図面の簡単な説明】
【図１】本発明に係るベランダ壁取付け構造の一実施の形態を示した斜視図である。
【図２】本発明に係るベランダ壁取付け構造を示した図で、図２（ａ）は壁パネルを取付けた状態の方立アングル箇所における断面図、図２（ｂ）は方立アングルと受けアングルとの結合形態の一例を示した斜視図、図２（ｃ）は方立アングルと受けアングルとの結合形態の他の例を示した斜視図である。
【図３】本発明に係るベランダ壁取付け構造を示した断面図で、壁パネルを取付けた状態の他の箇所における断面図である。
【図４】本発明に係るベランダ壁取付け構造を示した断面図で、壁パネルの取付け状態を示した断面図である。
【図５】本発明に係るベランダ壁取付け構造を示した断面図で、床パネルと壁パネルとの間の処理状態と笠木の取付け状態とを示した断面図である。
【図６】本発明に係るベランダ壁取付け構造を示した断面図で、手摺付き笠木の取付け状態を示した断面図である。
【図７】従来のベランダ壁取付け構造を示した斜視図である。
【符号の説明】
１      梁
１ａ    上部フランジ
１ｂ    下部フランジ
２      通しアングル
３，４    ピースアングル
５      方立アングル
６      受けアングル
８    目地鉄筋
８ａ    雄ねじ
９    目地鉄筋
９ａ    雄ねじ
１０    取付け金物
１１，１２  イナズマプレート
１３    ボルト
２０    壁パネル
２１    溝
２３    支持プレート
２４    モルタル
２５    床パネル
２６    モルタル
２７    防水シート
２８    水切プレート
２９    釘
３０    ラス金網
３１    モルタル
３２，３３    シーリング
３４    笠木
３５    インナープレート
３６    ナット
３７    カバープレート
【図１】
0003822737.tif 000002
【図２】
0003822737.tif 000003
【図３】
0003822737.tif 000004
【図４】
0003822737.tif 000005
【図５】
0003822737.tif 000006
【図６】
0003822737.tif 000007
【図７】
0003822737.tif 000008